(57)【要約】【課題】ディスクの収納及び取出を容易に行うことができるディスク収納体及びディスク装置を提供すること。【解決手段】ディスクを収納するディスク収納体２は、ディスク収納部５３にディスクを収納するための開口部５３１が形成された筐体３と、開口部５３１を閉塞する蓋部材６とを備える。筐体３には、蓋部材６の一端側が筐体３に対して近接及び離間するように、蓋部材６の他端側を回動自在に支持する支持部が設けられ、ディスク収納部５３には、一端がディスク収納部５３と係合し、他端が蓋部材６と係合して、蓋部材６の回動に応じてディスク収納部５３から起立する起立片５４が、支持部が設けられた側とは反対側に回動自在に取り付けられている。起立片５４には、筐体３から離間する方向に蓋部材６が回動されると、ディスク収納部５３に収納されたディスクを起こす起こし部５４２が設けられている。【選択図】図５
2008282497.tif 000002
【特許請求の範囲】
【請求項１】
記録媒体としてのディスクを収納するディスク収納体であって、
前記ディスクを収納するディスク収納部、及び、当該ディスク収納部に前記ディスクを収納するための開口部が形成された筐体と、
前記開口部を閉塞する蓋部材とを備え、
前記筐体には、
前記蓋部材の一端側が、当該筐体に対して近接及び離間するように、当該蓋部材の他端側を回動自在に支持する支持部が設けられ、
前記ディスク収納部には、
一端が当該ディスク収納部と係合し、かつ、他端が前記蓋部材と係合して、当該蓋部材の回動に応じて当該ディスク収納部から起立する起立片が、前記支持部が設けられた側とは反対側に回動自在に取り付けられ、
前記起立片には、
前記筐体から離間する方向に前記蓋部材が回動されると、前記ディスク収納部に収納された前記ディスクを当該ディスク収納部から起こす起こし部が設けられていることを特徴とするディスク収納体。
【請求項２】
請求項１に記載のディスク収納体において、
前記起こし部は、
前記起立片において、前記開口部を前記蓋部材が閉塞した際に、前記ディスク収納部の中央から、当該起立片の取付位置側に形成されていることを特徴とするディスク収納体。
【請求項３】
請求項１または請求項２に記載のディスク収納体において、
前記起立片は、前記ディスク収納部の中央を挟み、かつ、前記開口部に対する前記ディスクの挿入方向に略直交する方向の両端部近傍にそれぞれ設けられていることを特徴とするディスク収納体。
【請求項４】
請求項３に記載のディスク収納体において、
前記起こし部は、前記各起立片間を接続する板状に設けられていることを特徴とするディスク収納体。
【請求項５】
請求項１から請求項４のいずれかに記載のディスク収納体において、
前記蓋部材には、前記ディスクの前記開口部への挿入方向に沿い、かつ、前記起立片に係合するガイド孔が形成され、
前記起立片には、前記ディスク収納部により支持される側の端部とは反対側の端部に、前記ガイド孔に挿入され、かつ、当該ガイド孔に沿って摺動する突起部が形成されていることを特徴とするディスク収納体。
【請求項６】
請求項１から請求項５のいずれかに記載のディスク収納体において、
前記ディスク収納部における前記支持部側には、前記ディスクの形状に応じた略円弧状部分を有し、かつ、当該ディスク収納部に収納された前記ディスクを位置決めする位置決め部が設けられていることを特徴とするディスク収納体。
【請求項７】
ディスクに記録された情報の読取、及び、当該ディスクに対する情報の書込のうち、少なくともいずれかを実行する情報読取／書込手段を備えたディスク装置であって、
請求項１から請求項６のいずれかに記載のディスク収納体を備えることを特徴とするディスク装置。
【発明の詳細な説明】
【技術分野】
【０００１】
本発明は、ディスクを収納するディスク収納体、及び、当該ディスク収納体を備えたディスク装置に関する。
【背景技術】
【０００２】
従来、磁気的または光学的にデータを記録する円盤状のディスクに対するデータの記録、及び、当該ディスクからのデータの読込を行うディスク装置が知られている。このようなディスク装置は、近年、小型化傾向にあり、携帯可能なディスク装置も知られている。このような携帯型のディスク装置として、外装筐体（外筐）に対して開閉する蓋部材（蓋部）を備え、当該蓋部材にディスクを収納するホルダが設けられたディスク装置（電子機器）が知られている（例えば、特許文献１参照）。
【０００３】
この特許文献１に記載のディスク装置では、蓋部材を外装筐体に対して開くと、当該蓋部材の内側に設けられたホルダが露出し、当該ホルダへのディスクの挿入が可能となる。このため、ホルダにディスクを挿入した状態で、蓋部材を外装筐体に対して閉塞すると、ディスクがホルダごと外装筐体内部に収納されるように構成されている。
【０００４】
【特許文献１】特開２００５−２６７８２８号公報
【発明の開示】
【発明が解決しようとする課題】
【０００５】
しかしながら、特許文献１に記載のディスク装置では、ディスクを外装筐体内に収納する場合、当該ディスクを蓋部材に設けられたホルダに挿入する必要があるため、ディスクを外装筐体内に収納しづらいという問題がある。また、外装筐体から蓋部材が離間するように当該蓋部材を回動させ、ディスク収納用の開口を大きく開いた場合でも、ディスクがホルダの収納されているため、当該ディスクを取り出しづらいという問題がある。
【０００６】
本発明の目的は、ディスクの収納及び取出を容易に行うことのできるディスク収納体及びディスク装置を提供することである。
【課題を解決するための手段】
【０００７】
前記した目的を達成するために、本発明のディスク収納体は、記録媒体としてのディスクを収納するディスク収納体であって、前記ディスクを収納するディスク収納部、及び、当該ディスク収納部に前記ディスクを収納するための開口部が形成された筐体と、前記開口部を閉塞する蓋部材とを備え、前記筐体には、前記蓋部材の一端側が、当該筐体に対して近接及び離間するように、当該蓋部材の他端側を回動自在に支持する支持部が設けられ、前記ディスク収納部には、一端が当該ディスク収納部と係合し、かつ、他端が前記蓋部材と係合して、当該蓋部材の回動に応じて当該ディスク収納部から起立する起立片が、前記支持部が設けられた側とは反対側に回動自在に取り付けられ、前記起立片には、前記筐体から離間する方向に前記蓋部材が回動されると、前記ディスク収納部に収納された前記ディスクを当該ディスク収納部から起こす起こし部が設けられていることを特徴とする。
【０００８】
本発明によれば、ディスクを収納するディスク収納部において、蓋部材を支持する支持部が設けられた側とは反対側には、当該ディスク収納部にディスクを収納するための開口部を閉塞する蓋部材と係合し、かつ、当該蓋部材の回動に応じて回動して、ディスク収納部から起立する起立片が取り付けられている。この起立片には、蓋部材が筐体から離間する方向に回動し、開口部が開放される際に、ディスク収納部に収納されたディスクを起こす起こし部が形成されている。
【０００９】
これによれば、開口部を開放するように、蓋部材を筐体から離間する方向に回動させた場合には、ディスク収納部から起立片が起立することとなるが、この際、蓋部材の回動量に応じて、蓋部材と起立片の起こし部との隙間を大きくすることができる。
このため、ディスクを収納する際には、蓋部財と起こし部との間にディスクを挿入し、かつ、当該ディスクを起こし部に載せるように配置した状態で、蓋部材を筐体に近接する方向に回動させることにより、ディスク収納部にディスクを収納することができる。これにより、ディスクの収納操作を容易に行うことができる。
【００１０】
また、ディスクを取り出す際には、蓋部材の回動動作に応じて、起立片の起こし部がディスク収納部からディスクを起こすので、当該ディスクを蓋部材と起こし部との間で容易に把持することができる。これにより、ディスクの取り出しを容易に行うことができる。
従って、前述の特許文献１に記載のディスク装置のように、ホルダ内にディスクを収納する場合に比べ、ディスク収納部におけるディスクの露出面積を大きくすることができるだけでなく、蓋部材と起立片の起こし部との隙間を大きくすることができるので、ディスク収納部へのディスクの収納及び当該ディスク収納部からのディスクの取出を容易に行うことができる。
さらに、ディスク収納部又は蓋部材に、ディスクが挿入されるホルダ、及び、当該ホルダを固定する構成を設ける必要がなくなるので、ディスク収納体の構成を簡略化することができるとともに、部品点数の削減を図ることができる。
【００１１】
本発明では、前記起こし部は、前記起立片において、前記開口部を前記蓋部材が閉塞した際に、前記ディスク収納部の中央から、当該起立片の取付位置側に形成されていることが好ましい。
ここで、起立片における起こし部の位置が、ディスク収納部における中央から、起立片の取付位置側とは反対側、すなわち、支持部側に設けられている場合には、蓋部材を回動させて開口部を露出させると、ディスクにおける支持部側の端部が起こし部により起こされ、当該端部とは反対側の端部、すなわち、蓋部材を開放した際に当該蓋部材とディスク収納部とにより形成される開口側の端部がディスク収納部に近接するように傾斜する。
これに対し、本発明では、ディスクにおける起立片の取付位置側の端部、すなわち、当該開口側の端部が起こし部により起こされ、支持部側の端部がディスク収納部に近接するように傾斜することにより、ディスクを一層把持しやすくすることができる。従って、ディスク収納部からのディスクの取出を容易に行うことができる。
【００１２】
本発明では、前記起立片は、前記ディスク収納部の中央を挟み、かつ、前記開口部に対する前記ディスクの挿入方向に略直交する方向の両端部近傍にそれぞれ設けられていることが好ましい。
本発明によれば、起立片は、開口部を介してディスク収納部に挿入されるディスクの挿入方向に略直交する方向のディスク収納部の両端部近傍に、それぞれ設けられている。これによれば、各起立片の起こし部が、当該略直交する方向のディスクの両端部を起こすことができ、これにより、各起こし部がディスクを安定して支持することができ、不要にディスクが傾斜することを防ぐことができる。従って、ディスク収納部からのディスクの取出を一層容易に行うことができる。
【００１３】
本発明では、前記起こし部は、前記各起立片間を接続する板状に設けられていることが好ましい。
本発明によれば、起こし部が、各起立片間を接続する板状に設けられていることにより、当該起こし部とディスクとの当接を確実に行うことができるので、ディスク収納部からディスクを確実に起こすことができるとともに、当該ディスクを一層安定して支持することができる。さらに、起こし部が各起立片を接続することにより、当該各起立片を１つの起立片として構成することができるので、ディスク収納体の構成を一層簡略化することができるとともに、起立片の取付を容易に行うことができる。
【００１４】
本発明では、前記蓋部材には、前記ディスクの前記開口部への挿入方向に沿い、かつ、前記起立片に係合するガイド孔が形成され、前記起立片には、前記ディスク収納部により支持される側の端部とは反対側の端部に、前記ガイド孔に挿入され、かつ、当該ガイド孔に沿って摺動する突起部が形成されていることが好ましい。
本発明によれば、蓋部材に形成されたガイド孔に、起立片に形成された突起部が挿入され、当該突起部は、蓋部材の回動に応じてガイド孔に沿って摺動する。これによれば、開口部を開放する方向に蓋部材が回動した場合には、起立片をディスク収納部から確実に起立させることができる一方で、開口部を閉塞する方向に蓋部材が回動した場合には、当該起立片をディスク収納部に沿うように確実に配置することができる。従って、蓋部材の回動に応じて、起立部を回動させることができ、ディスク収納部へのディスクの収納及び取出の容易性を確実に発揮することができる。
【００１５】
本発明では、前記ディスク収納部における前記支持部側には、前記ディスクの形状に応じた略円弧状部分を有し、かつ、当該ディスク収納部に収納された前記ディスクを位置決めする位置決め部が設けられていることが好ましい。
本発明によれば、ディスク収納部に、ディスクの形状に応じた略円弧状部を有する位置決め部が設けられていることにより、当該ディスク収納部内に収納されたディスクを確実に位置決めすることができる。従って、ディスク収納部内でディスクが揺動することを防ぐことができる。
【００１６】
また、本発明のディスク装置は、ディスクに記録された情報の読取、及び、当該ディスクに対する情報の書込のうち、少なくともいずれかを実行する情報読取／書込手段を備えたディスク装置であって、前述のディスク収納体を備えることを特徴とする。
本発明によれば、前述のディスク収納体と同様の効果を奏することができる。また、前述の位置決め部がディスク収納部に設けられている場合には、当該位置決め部によりディスクの揺動を防ぐことができるので、情報読取／書込手段によるディスクからの情報の読取及びディスクへの情報の記録を誤り無く行うことができる。
【発明を実施するための最良の形態】
【００１７】
以下、本発明の一実施形態を図面に基づいて説明する。
〔ディスク装置１の全体構成〕
図１は、本実施形態に係るディスク装置１を正面側から見た斜視図である。
本実施形態のディスク装置１は、携帯用のゲーム機として構成された電子機器であり、例えば、ディスク９（図３参照）に記録されているゲームプログラム等を読み出して、キー及びスイッチに対する使用者（ゲームプレーヤ）の操作に応じて、ゲームプログラムを実行したり、当該ディスク９に記録された音声情報および画像情報を再生したりするものである。なお、ゲームの実行とは、主としてゲームの進行および画像・音声情報の出力等を制御することをいう。
このディスク装置１は、図１に示すように、扁平横長矩形状で、両端部が円弧状に形成されたディスク収納体２を備え、当該ディスク収納体２は、筐体３と、当該筐体３に取り付けられる蓋部材６とを備えている。
【００１８】
〔筐体３の構成〕
筐体３は、使用者がディスク装置１を保持した際に、当該使用者に対向するフロントケース４と、当該フロントケース４の背面側にねじ固定されるリアケース５とを備えて構成されている。
このうち、フロントケース４の正面側（使用者に対向する側）略中央には、横長矩形状の液晶パネル４０１が設けられ、当該液晶パネル４０１を挟む左右両側、及び、液晶パネル４０１の下側には、各種キー等が設けられている。
【００１９】
具体的に、液晶パネル４０１の左側（図１における左側部分）には、上下左右を示す４つの方向キー４０２、アナログデバイス４０３及び２つのＬＥＤ４０４，４０５が配置されている。このうち、４つの方向キー４０２は、当該方向キー４０２に対応して筐体３内部に設けられた感圧センサと接触可能に設けられ、各キー４０２が入力されると、感圧センサによってキー４０２の入力が検出され、当該キー４０２に応じたデジタル信号が図示しない制御装置に出力される。また、アナログデバイス４０３は、フロントケース４に沿って押圧移動可能に構成され、当該デバイス４０３の移動方向を示すアナログ信号を制御装置に出力する。また、２つのＬＥＤ４０４，４０５のうち、上方に配置されたＬＥＤ４０４は、筐体３内部に収納されたメモリカード（図示省略）がデータの書込／読出状態にあることを示すＬＥＤであり、下方に配置されたＬＥＤ４０５は、当該ディスク装置１の通信状態を示すＬＥＤである。
【００２０】
液晶パネル４０１の右側（図１における右側部分）には、「△」、「○」、「×」、「□」の文字がそれぞれ表記された４つの決定キー４０６、ＬＥＤ４０７、電源キー（図示省略）及び当該電源キーがホールド位置にあると色が変わる窓部４０８が配置されている。
このうち、４つの決定キー４０６は、当該決定キー４０６に対応して筐体３内部に設けられた図示しない感圧センサと接触可能に設けられており、前述の方向キー４０２と同様に、感圧センサによってキーの入力が検出され、当該キーに応じたデジタル信号が制御装置に出力される。ＬＥＤ４０７は、電源のオン／オフ状態を示すものであり、ディスク装置１の電源がオン状態にある場合には緑色点灯し、バッテリ（図示省略）への充電中である場合には橙色点灯する。
【００２１】
液晶パネル４０１の下側（図１における下側部分）には、ゲーム等を中断して初期表示状態に復帰するホームキー４０９、音量を増減させる音量キー４１０，４１１、輝度切替キー４１２，ミュートキー４１３、セレクトキー４１４、スタートキー４１５等が配置されている。このうち、輝度切替キー４１２は、液晶パネル４０１の輝度を切り替えるキーであり、また、ミュートキー４１３は、音声をミュートさせるキーである。セレクトキー４１４及びスタートキー４１５は、ゲームの実行中に操作するキーである。
また、筐体３の四隅部分は内側に切り欠かれ、これらの切り欠きのうち、上側左右隅部には決定キー４１６Ｌ，４１６Ｒ（左側の決定キーを４１６Ｌとし、右側の決定キーを４１６Ｒとする）が、下側左隅部にはストラップ掛部４１７がそれぞれ設けられている。
【００２２】
フロントケース４とリアケース５とが重ね合わされる筐体３の上面３１の略中央には、ＵＳＢ（Universal Serial Bus）規格に準拠したｍｉｎｉＢ端子が挿抜可能な接続端子４１８が設けられており、この接続端子４１８を挟むように、開口を介して電極が露出した電力供給端子４１９が設けられている。
また、これら電力供給端子４１９の外側で、かつ、左側には、接続端子４１８に接続された外部機器を固定するねじ（図示省略）が螺合するねじ穴４２０が形成され、右側には、外部機器に設けられた位置決めピン（図示省略）が挿入されるピン挿入口４２１が形成されている。なお、本実施形態では、上面の左側にねじ穴４２０が、また、右側にピン挿入口４２１が形成されているが、左右が逆でもよく、また、ピン挿入口４２１が形成された位置にねじ穴が形成された構成としてもよい。
【００２３】
また、当該上面３１において、キー４１６Ｌと、ねじ穴４２０との間には、受光窓４２２が設けられ、筐体３内には、当該受光窓４２２を介して他の外部機器と赤外線通信を行う赤外線通信モジュール（図示省略）が設けられている。
また、キー４１６Ｒと、ピン挿入口４２１との間には、リアケース５の背面側に設けられた蓋部材６の開放を規制するロックスライダ４２３が設けられている。このロックスライダ４２３を、筐体３の上面３１に沿って一方向に摺動させると、蓋部材６の開放規制が解除され、当該蓋部材６を開くことが可能となり、リアケース５に形成されたディスク収納部５３（図２及び図５参照）内にディスク９を収納することができる。
【００２４】
図２は、ディスク装置１を背面側から見た斜視図であり、リアケース５を示す斜視図である。
リアケース５は、フロントケース４と略同じ外形を有し、前述のように、当該フロントケース４の背面側にねじ固定される。このリアケース５は、図２に示すように、左右方向に沿って３つの領域に分割され、右側（使用者に保持された際の左側）にメモリカード収納部５１が、左側（使用者に保持された際の右側）にバッテリパック収納部５２が、また、これらに挟まれるように中央にディスク収納部５３が、それぞれ形成されている。
メモリカード収納部５１は、開閉可能な蓋部５１１を備え、内部にメモリカード（図示省略）を装着できるように構成されている。
バッテリパック収納部５２は、着脱可能な蓋部５２１を備え、内部にバッテリパック（図示省略）を収納できるように構成されている。
【００２５】
ディスク収納部５３は、当該ディスク収納部５３に応じた位置に形成されたディスク収納用の開口部５３１（図５参照）を介して挿入されたディスク９を収納する。このディスク収納部５３には、略矩形の開口部５３１と略同じ寸法を有する蓋部材６が、当該蓋部材６の一端を軸としてリアケース５に対する近接方向及び離間方向に回動自在に設けられている。そして、当該蓋部材６を離間方向に回動させることにより、開口部５３１が開放され、ディスク収納部５３が露出する。また、蓋部材６を近接方向に回動させることにより、開口部５３１が閉塞され、蓋部材６とリアケース５とが面一となる。なお、ディスク収納部５３及び蓋部材６の詳細な構成については、後に詳述する。
【００２６】
〔ディスク９の構成〕
図３は、ディスク９を示す平面図である。
ここで、ディスク装置１に用いられるディスク９について説明する。
記録媒体としてのディスク９は、図３に示すように、ディスク本体９１と、当該ディスク本体９１を内部に収納する合成樹脂製のカートリッジ９２とを備えて構成されている。
ディスク本体９１は、略円盤形状を有する光読取方式の光ディスクであり、略中央には、ディスク収納部５３内に設けられ、かつ、ディスク本体９１を回転させるターンテーブル５３２（図５及び図７参照）にチャッキングされる略円形状の金属製の当接部９１１が設けられている。このディスク本体９１には、ゲームプログラム、映画等の種々の画像情報、および音楽等の音声情報等を記録可能に構成されている。
【００２７】
カートリッジ９２は、平面視略盾型形状を有している。具体的に、カートリッジ９２の外周形状は、略平行な一対の直線部９２１（図３における左右部分）と、それぞれの直線部９２１における一方の同じ側の端部（図３における直線部９２１の下方端部）同士を接続し、かつ、それぞれの端部間を直径とする略半円形状の半円状部９２２（図３における下側部分）と、一対の直線部９２１の他方の端部同士を接続する円弧状部９２３（図３における上側部分）とを有するように形成されている。このうち、円弧状部９２３は、半円状部９２２の直径の中心から半円状部９２２の端縁略中央を通る直線上で、かつ、半円状部９２２の外側にある一点を中心として円弧状に形成されている。
また、カートリッジ９２の中央には、ディスク本体９１の当接部９１１にターンテーブル５３２が当接するための略円形状の開口部９２４が形成されており、当該開口部９２４から、当接部９１１が露出している。
【００２８】
このカートリッジ９２の底面（図３で図示している面）には、ディスク本体９１を部分的に露出させる略矩形の開口部９２５が形成されている。この開口部９２５は、ディスク９をディスク収納部５３に収納し、蓋部材６を閉塞した際に、ディスク本体９１から情報を読み取るディスク装置１のピックアップ５３３に対応する位置に形成されており、この開口部９２５を介して、ディスク本体９１の記録面が露出している。そして、この開口部９２５を介して、ピックアップ５３３により、ディスク本体９１に記録された情報を光学的に読み取ることができる。
【００２９】
また、当該底面における円弧状部９２３の内側には、ピン挿入孔９２６，９２７が、それぞれ左右対称に形成されている。これらピン挿入孔９２６，９２７には、ディスク収納部５３に設けられ、かつ、当該ディスク収納部５３内でディスク９を位置決めする位置決めピン５３５が挿入される。これらピン挿入孔９２６，９２７のうち、図３における左側（開口部９２５から離間する側）に形成されたピン挿入孔９２６は平面視長円形状に形成され、また、右側（開口部９２５に近接する側）に形成されたピン挿入孔９２７は、平面視円形状に形成されている。
【００３０】
〔ディスク収納部５３の構成〕
図４〜図６は、ディスク収納部５３を示す斜視図である。具体的に、図４は蓋部材６が閉塞した状態、図５は蓋部材を開放した状態、及び、図６はディスク９をディスク収納部５３に挿入した状態をそれぞれ示す図である。
ディスク収納部５３は、前述のように、ディスク９を収納する。このディスク収納部５３には、図４に示すように、平面視略矩形の蓋部材６が、筐体３の底面３２（図２参照）側の一端を軸として矢印Ｂ１，Ｂ２方向に回動自在に取り付けられている。
【００３１】
この蓋部材６は、前述のように、筐体３の上面に設けられたロックスライダ４２３（図１参照）をスライドさせることにより筐体３とのロックが解除され、図５に示すように、当該蓋部材６をリアケース５から離間する方向（矢印Ｂ１方向）に回動させると、ディスク収納部５３が開放される。そして、ディスク収納部５３にディスク９を収納する場合には、図６に示すように、ディスク９を構成するカートリッジ９２の底面（図３において図示した面）がディスク収納部５３の底面５３Ａ（蓋部材６に対向する面）に対向し、かつ、当該カートリッジ９２の半円状部９２２が挿入方向（矢印Ａ方向）先端側となるようにしてディスク９をディスク収納部５３に挿入し、蓋部材６を筐体３に近接する方向（矢印Ｂ２方向）に回動させることにより、ディスク９がディスク収納部５３内に収納される。
【００３２】
図７及び図８は、ディスク収納部５３を示す平面図である。このうち、図７はディスク９を収納していない状態を示す図であり、図８はディスク９を収納した状態を示す図である。
このようなディスク収納部５３には、図５及び図７に示すように、当該ディスク収納部５３と接続された前述のディスク収納用の開口部５３１の他に、ターンテーブル５３２、ピックアップ５３３、メディアガイド５３４、位置決めピン５３５、ロックレバー５３６及びイジェクトバー５４が設けられ、また、支持部５３７、連通口５３８及びバー取付部５３９が形成されている。このうち、イジェクトバー５４の構成については、後に詳述する。
【００３３】
ターンテーブル５３２は、平面視略正方形状のディスク収納部５３の底面５３Ａにおける略中央に配置されている。このターンテーブル５３２は、詳しい図示を省略するが、モータと当該モータの回転軸に取り付けられたマグネットとを備え、当該マグネットは、前述のディスク９のディスク本体９１に設けられた当接部９１１に当接して、当該ディスク９をチャッキングする。そして、モータが駆動すると、ディスク本体９１をチャッキングしたマグネットが回転し、当該ディスク本体９１を高速で回転させる。
【００３４】
ピックアップ５３３は、本発明の情報読取／書込手段に相当し、底面５３Ａにおけるターンテーブル５３２に隣接した位置に設けられている。そして、ピックアップ５３３は、ターンテーブル５３２の駆動により回転するディスク本体９１に、カートリッジ９２の開口部９２５を介して、レーザ光を照射し、当該ディスク本体９１に情報を記録するとともに、当該ディスク本体９１の記録面からの反射光を受光して、ディスク本体９１に記録された情報を光学的に読み取る。
【００３５】
メディアガイド５３４は、ディスク収納部５３に収納されたディスク９の挿入方向先端側の位置を決めるとともに、当該ディスク収納部５３に誤った向きでディスク９が収納されることを防ぐものである。このメディアガイド５３４は、底面５３Ａにおける矢印Ａ方向の先端側、すなわち、蓋部材６の回動軸に近接する位置に設けられている。
このメディアガイド５３４は、ディスク９を構成するカートリッジ９２の半円状部９２２に合わせた円弧状部５３４１を有する平面視凹型形状に形成されている。そして、この円弧状部５３４１は、底面５３Ａに近接するに従って、ディスク収納部５３の中央側への突出量が大きくなるように傾斜して形成されている。すなわち、メディアガイド５３４の縦断面は、底面５３Ａ側が大きい寸法を有し、かつ、当該底面５３Ａから離間した上面側（蓋部材６に対向する側）が小さい寸法を有する略台形形状を有している。
【００３６】
このような円弧状部５３４１にカートリッジ９２の半円状部９２２が当接することにより、蓋部材６を閉塞した際に、ディスク９をディスク収納部５３内に収納しやすくすることができるとともに、ディスク９を当該ディスク収納部５３内の適切な位置に収納することができる。また、ディスク９が逆向きに挿入され、当該ディスク９の円弧状部９２３が円弧状部５３４１に当接した場合には、それぞれの形状が一致しないため、当該ディスク９がディスク収納部５３に収納されず、蓋部材６の閉塞を行うことができない。これにより、ディスク９がディスク収納部５３に誤った向きで収納されることを防ぐことができる。
【００３７】
位置決めピン５３５（筐体３の上面３１側を上方として、底面５３Ａに向かって左側の位置決めピンを５３５Ｌとし、右側の位置決めピンを５３５Ｒとする）は、底面５３Ａにおいて、蓋部材６の回動軸側とは反対側に左右対称に１つずつ設けられている。すなわち、位置決めピン５３５は、ディスク収納部５３を平面視した際に、矢印Ａ方向に沿い、かつ、底面５３Ａの中央を通る直線を中心として略対称に１つずつ設けられている。これら位置決めピン５３５は、ディスク収納部５３にディスク９が収納された際、当該ディスク９のピン挿入孔９２６，９２７にそれぞれ挿入される。これにより、ディスク収納部５３内でのディスク９の位置決めが行われる。また、ディスク９が表裏逆にディスク収納部５３に挿入された場合には、位置決めピン５３５がピン挿入孔９２６，９２７に挿入されず、蓋部材６を閉塞することができない。これにより、ディスク９の誤挿入を防ぐことができる。
【００３８】
ロックレバー５３６（図７参照）は、前述のロックスライダ４２３（図１参照）のスライドに応じて、蓋部材６を係止し、当該蓋部材６の回動を規制する。このロックレバー５３６は、詳しい図示を省略するが、ロックスライダ４２３の摺動動作に連動して、底面５３Ａに沿って摺動する側面視略Ｌ字状の鉤状部を有している。そして、当該鉤状部が、底面５３Ａに対向する蓋部材６の面から起立する側面視略Ｌ字状の鉤状部を係止することで、蓋部材６の開方向への回動を規制する。
【００３９】
支持部５３７（筐体３の上面３１側を上方として、底面５３Ａに向かって左側の支持部を５３７Ｌとし、右側の支持部を５３７Ｒとする）は、ディスク収納部５３における筐体３の底面３２近傍に形成され、かつ、蓋部材６を回動自在に支持する一対の突起である。詳述すると、支持部５３７は、底面５３Ａから起立し、かつ、ディスク９が収納された際に一対の直線部９２１に対向する一対の側面５３Ｂから、それぞれ面外方向に起立した略円筒状の突起として構成されている。これら支持部５３７は、一対の側面５３Ｂのそれぞれから、互いに対向する方向に延出した突起として形成されており、蓋部材６に形成された孔部（図示省略）に挿入され、当該蓋部材６を矢印Ｂ１方向及び矢印Ｂ２方向に回動自在に支持する。
【００４０】
連通口５３８（筐体３の上面３１側を上方として、底面５３Ａに向かって左側の連通口を５３８Ｌとし、右側の連通口を５３８Ｒとする）は、それぞれの支持部５３７近傍に形成されている。そして、これら連通口５３８には、蓋部材６が支持部５３７に取り付けられた際に、当該蓋部材６に形成された腕部６１１が、それぞれ挿通する。なお、蓋部材６の構成については、後に詳述する。
【００４１】
バー取付部５３９（筐体３の上面３１側を上方として、底面５３Ａに向かって左側のバー取付部を５３９Ｌとし、右側のバー取付部を５３９Ｒとする）は、底面５３Ａにおける矢印Ａ方向の基端側、すなわち、上面３１に近接する側に形成されている。具体的に、バー取付部５３９は、底面５３Ａの中央に対して、支持部５３７が形成された側とは反対側に、矢印Ａ方向に沿い、かつ、底面５３Ａの中央を通る直線を中心として略対称に配置されている。
これらバー取付部５３９は、底面５３Ａから起立し、先端部分が互いに離間する方向に屈曲した側面視略Ｌ字状に形成されている。これらのうち、バー取付部５３９Ｌは、後述するイジェクトバー５４に形成された腕部５４１Ｌの孔部５４１１に、また、バー取付部５３９Ｒは、当該イジェクトバー５４の腕部５４１Ｒの孔部５４１１にそれぞれ挿入され、当該イジェクトバー５４を、回動自在に支持する。
【００４２】
〔蓋部材６の構成〕
ここで、蓋部材６の構成について説明する。
蓋部材６は、前述のように、矢印Ｂ１方向に回動することにより開口部５３１ひいてはディスク収納部５３を露出させ、当該ディスク収納部５３へのディスク９の収納を可能とする開口を形成する一方で、矢印Ｂ２方向に回動することにより開口部５３１ひいてはディスク収納部５３を閉塞する。
この蓋部材６は、図４〜図６において示したように、平面視略正方形状に形成されている。そして、当該蓋部材６のディスク収納部５３に対向する底面には、蓋部材６を閉塞した際に、ディスク９を底面５３Ａ側に押圧する板ばね６２（図１３〜図１５参照）が設けられ、また、当該底面における左右方向（矢印Ａ方向に直交する方向）の両端縁には、それぞれ面外方向に起立した側壁６１が形成されている。
【００４３】
これら側壁６１（筐体３の上面３１側を上としてリアケース５に取り付けられた蓋部材６を背面側から見て、左側に位置する側壁を６１Ｌ、右側に位置する側壁を６１Ｒとする）には、孔部（図示省略）が形成されている。これらのうち、側壁６１Ｌの孔部に支持部５３７Ｌが挿入され、また、側壁６１Ｒの孔部に支持部５３７Ｒが挿入されることにより、リアケース５に蓋部材６が回動自在に支持される。
【００４４】
また、各側壁６１の孔部近傍には、当該側壁６１の起立方向先端よりさらに延出した腕部６１１が形成されている。これら腕部６１１は、蓋部材６がディスク収納部５３に取り付けられた際に、底面５３Ａに形成された連通口５３８（図７参照）を挿通し、リアケース５の正面側（フロントケース４に対向する面側）に設けられた捻りばね５６と係合する。なお、捻りばね５６の構成については、後に詳述する。
さらに、各側壁６１の略中央には、矢印Ａ方向に長手方向を有する略長円形状のガイド孔６１２がそれぞれ形成されている。これらガイド孔６１２には、後述するイジェクトバー５４の突起部５４１２が挿入され、当該蓋部材６の回動動作に応じて、突起部５４１２がガイド孔６１２内を摺動することにより、イジェクトバー５４が回動する。このため、ガイド孔６１２の長手方向の寸法、詳述すると、蓋部材６を閉塞した状態におけるガイド孔６１２内の突起部５４１２の位置から、矢印Ａ方向とは反対方向側のガイド孔６１２の端縁までの寸法により、蓋部材６及びイジェクトバー５４の回動量が規定される。なお、本実施形態では、当該寸法は、蓋部材６を矢印Ｂ１方向に最も回動させた場合の底面５３Ａと、蓋部材６及びイジェクトバー５４の後述する腕部５４１との交差角（回動角）が、略３０°となるように設定されている。
【００４５】
〔イジェクトバー５４の構成〕
図９は、イジェクトバー５４を示す斜視図である。
イジェクトバー５４は、前述のように底面５３Ａにおける支持部５３７とは反対側に形成されたバー取付部５３９に回動自在に取り付けられ、蓋部材６の開放動作（矢印Ｂ１方向への回動動作）に応じて底面５３Ａから起立して、ディスク収納部５３に収納されたディスク９を持ち上げるものである。このイジェクトバー５４は、図９に示すように、一対の腕部５４１と、当該一対の腕部５４１間を接続し、かつ、ディスク９をディスク収納部５３の底面５３Ａから起こす起こし部５４２とを有し、これらによって平面視略Ｈ字状に形成された一体成形品である。
【００４６】
このうち、一対の腕部５４１（筐体３の上面側を上方として、ディスク収納部５３に向かって左側に配置される腕部を５４１Ｌとし、右側に配置される腕部を５４１Ｒとする）は、本発明の起立片に相当し、当該一対の腕部５４１は、それぞれ板状に形成されている。これら一対の腕部５４１のそれぞれ同じ側の一方の先端部分には、孔部５４１１が形成され、他方の先端部分には、突起部５４１２が形成されている。
【００４７】
このうち、腕部５４１Ｌの孔部５４１１には、支持部５３９Ｌが挿入され、また、腕部５４１Ｒの孔部５４１１には、支持部５３７Ｒが挿入される。これにより、当該一対の腕部５４１は、ディスク収納部５３に回動自在に取り付けられる。
また、腕部５４１Ｌの突起部５４１２は、蓋部材６の側壁６１Ｌに形成されたガイド孔６１２に挿入され、また、腕部５４１Ｒの突起部５４１２は、側壁６１Ｒに形成されたガイド孔６１２に挿入される。
このように、一対の腕部５４１が、それぞれディスク収納部５３と、蓋部材６とを接続するようにして係合することにより、イジェクトバー５４は、蓋部材６のディスク収納部５３から離間する方向（矢印Ｂ１方向）への回動に伴って、ディスク収納部５３から起立し、また、蓋部材６のディスク収納部５３に近接する方向（矢印Ｂ２方向）への回動に伴って、ディスク収納部５３に沿うように配置される。
【００４８】
起こし部５４２は、各腕部５４１Ｌ，５４１Ｒの中央から孔部５４１１寄りの位置を接続する平板状に形成され、図７に示すように、蓋部材６を閉塞した場合には、底面５３Ａに沿うように配置される。また、この起こし部５４２は、底面５３Ａの中央に位置するターンテーブル５３２から、筐体３の上面３１に至るまでの間、詳述すると、バー取付部５３９が形成された位置に至るまでの間に配置される。このため、蓋部材６を開放（矢印Ｂ１方向に回動）させた場合には、当該蓋部材６によりイジェクトバー５４が傾斜して、起こし部５４２が底面５３Ａから離間する。なお、蓋部材６の開閉（矢印Ｂ１方向及び矢印Ｂ２方向への回動）に伴うイジェクトバー５４の動作については、後に詳述する。
【００４９】
〔捻りばね５６の構成〕
図１０は、リアケース５を正面側から見た平面図である。
リアケース５の正面側における連通口５３８Ｌ近傍には、図１０に示すように、ばね収納部５５が形成され、当該ばね収納部５５には、付勢手段としての捻りばね５６が設けられている。この捻りばね５６は、連通口５３８を介してリアケース５の正面側に露出した蓋部材６の腕部６１１と係合して、当該蓋部材６に対して矢印Ｂ１方向及び矢印Ｂ２方向への付勢力を作用させる。
【００５０】
図１１及び図１２は、捻りばね５６の動作を示すリアケースの部分拡大図である。これらのうち、図１１は、蓋部材６を閉塞した状態での捻りばね５６の状態を示す図であり、図１２は、蓋部材６を開放した状態での捻りばね５６の状態を示す図である。
このうち、ばね収納部５５は、図１１及び図１２に示すように、凹部５５１、押さえ部５５２及び挟持部５５３により構成されている。
また、捻りばね５６は、線材が螺旋状に巻かれたコイル部５６１と、当該コイル部５６１の両端から延出する一対の線状部５６２，５６３とを有している。
これらのうち、コイル部５６１は、凹部５５１内に配置される。また、線状部５６２は、押さえ部５５２に形成された孔部（図示省略）を貫通し、挟持部５５３により挟持される。さらに、線状部５６３は、蓋部材６の側壁６１Ｌに形成された腕部６１１に形成された孔部（図示省略）に挿入される。
【００５１】
このような捻りばね５６は、蓋部材６の回動動作に応じて、挟持部５５３により挟持された線状部５６２を軸として回動することにより、当該蓋部材６の動作方向に付勢力を作用させる。
具体的に、図１１に示す閉状態（開口部５３１を閉塞した状態）から蓋部材６が矢印Ｂ１方向に回動して、図１２に示す開状態（開口部５３１を露出させた状態）に遷移する場合には、当該蓋部材６の回動に伴って、挟持部５５３により挟持されている線状部５６２の捻れが解消する一方で、線状部５６３が矢印Ｂ１方向に捻られる。このため、蓋部材６の腕部６１１が、当該腕部６１１の移動範囲の略中央を越えた位置から矢印Ｂ１方向に向かうに従って、捻りばね５６から腕部６１１に矢印Ｂ１方向への付勢力が作用する。これにより、開状態への蓋部材６の回動に要する力を低減することができるほか、当該蓋部材６の開状態を維持することができる。
【００５２】
一方、図１２に示した開状態から蓋部材６を矢印Ｂ２方向に回動させて、図１１に示した閉状態にする場合には、当該蓋部材６の回動に伴って、線状部５６２が矢印Ｂ２方向に捻られる一方で、線状部５６３の捻れが解消する。このため、腕部６１１が、当該腕部６１１の移動範囲の略中央を越えた位置から矢印Ｂ２方向に向かうに従って、捻りばね５６から腕部６１１に矢印Ｂ２方向への付勢力が作用する。これにより、閉状態への蓋部材６の回動に要する力を低減することができるほか、当該蓋部材６の閉状態を維持することができる。
【００５３】
〔イジェクトバー５４の動作〕
図１３は、蓋部材６を閉塞した状態のリアケース５を示す断面図である。また、図１４は、蓋部材６を開放し、ディスク９をディスク収納部５３に挿入した状態のリアケース５を示す断面図である。さらに、図１５は、ディスク９をディスク収納部５３に挿入し、かつ、蓋部材６を閉塞した状態のリアケース５を示す断面図である。なお、図１３〜図１５においては、フロントケース４の図示を省略している。
以下、イジェクトバー５４の動作について説明する。
蓋部材６を閉塞した状態では、イジェクトバー５４の起こし部５４２は、図１３に示すように、ディスク収納部５３の底面５３Ａに沿って配置される。また、この状態では、ガイド孔６１２における矢印Ａ方向側の端縁に、イジェクトバー５４の突起部５４１２が当接している。
【００５４】
この状態から、蓋部材６が矢印Ｂ１方向に回動すると、図１４に示すように、当該蓋部材６の腕部６１Ｌ，６１Ｒに形成されたガイド孔６１２内をイジェクトバー５４の突起部５４１２が矢印Ａ方向とは反対方向側に摺動しつつ、当該イジェクトバー５４の腕部５４１が、孔部５４１１を軸として回動して、ディスク収納部５３の底面５３Ａから起立する。そして、蓋部材６は、突起部５４１２がガイド孔６１２内の矢印Ａ方向とは反対方向側の端縁に当接すると、当該蓋部材６の矢印Ｂ１方向への回動が規制される。この状態では、前述の捻りばね５６の付勢力により、蓋部材６は、矢印Ｂ１方向に付勢されており、当該蓋部材６の開状態が維持される。
この際、イジェクトバー５４の起こし部５４２は、底面５３Ａから離間し、ディスク９のディスク収納部５３への挿入に際して、ディスク９の半円状部９２２がターンテーブル５３２及びピックアップ５３３に当たることを防ぐ。また、底面５３Ａの左右方向両端に取り付けられ、かつ、当該底面５３Ａから起立するイジェクトバー５４の腕部５４１Ｌ，５４１Ｒが、ディスク収納部５３へのディスク９の挿入を案内する。
【００５５】
また、図１４に示した状態から、蓋部材６を矢印Ｂ２方向に回動させ、当該蓋部材６によりディスク収納部５３を閉塞すると、図１５に示すように、ディスク収納部５３内にディスク９が収納される。この状態では、前述の捻りばね５６の付勢力により、蓋部材６は閉状態で維持される。
この際、イジェクトバー５４は、図１３に示した状態と同様に、底面５３Ａに沿って配置され、これに伴って、イジェクトバー５４の起こし部５４２は、底面５３Ａの中央に位置するターンテーブル５３２から、バー取付部５３９に至るまでの位置（ターンテーブル５３２からディスク挿入方向である矢印Ａ方向とは反対方向側の位置）に、底面５３Ａに沿って配置される。これにより、ターンテーブル５３２によるディスク９のチャッキングが、起こし部５４２により妨げられることを防ぐことができる。
【００５６】
さらに、図１５に示した状態から、蓋部材６を矢印Ｂ１方向に回動させて、ディスク収納部５３を露出させた場合には、図１４に示したように、蓋部材６の矢印Ｂ１方向への回動に伴って、底面５３Ａからイジェクトバー５４が起立する。これにより、ディスク９の底面に当接する起こし部５４２がディスク９を底面５３Ａから引き離し、当該ディスク９とターンテーブル５３２とのチャッキングを解除する。そして、ディスク９は、起こし部５４２によって支持され、更なる蓋部材６の回動に応じて、当該ディスク９は、ディスク収納部５３から持ち上げられる。この際、蓋部材６と起こし部５４２との間には、大きな隙間が形成される。これにより、ディスク収納部５３に収納されていたディスク９を取り出しやすくすることができる。また、この際には、ディスク９の半円状部９２２が、メディアガイド５３４に当接しており、さらに、一対の腕部５４１Ｌ，５４１Ｒ間にディスク９が位置しているので、ディスク収納部５３からのディスク９の転落を防ぐことができる。
【００５７】
〔実施形態の効果〕
以上説明した本実施形態のディスク装置１によれば、以下の効果を奏することができる。
（１）ディスク収納部５３に回動自在に支持され、かつ、蓋部材６に係合するイジェクトバー５４は、当該蓋部材６の矢印Ｂ１方向への回動に伴ってディスク収納部５３の底面５３Ａから起立する。
これによれば、イジェクトバー５４の起立に伴って、当該イジェクトバー５４に形成された起こし部５４２が、底面５３Ａに沿って配置されたディスク９を起こすので、ディスク収納部５３からのディスク９の取出を容易に行うことができる。この際、蓋部材６と起こし部５４２との間の隙間は、当該蓋部材６の回動量に応じて大きくなるので、蓋部材６のガイド孔６２１の寸法を調整することにより、ディスク収納部５３からのディスク９の取出、及び、当該ディスク収納部５３へのディスク９の収納を一層容易に行うことができる。従って、ディスク９を収納するホルダが蓋部材６に設けられている場合に比べ、ディスク９の取出及び収納を簡易に行うことができるほか、ディスク収納部５３の構成を簡略化することができる。
【００５８】
（２）蓋部材６を閉状態とし、イジェクトバー５４をディスク収納部５３に沿うように配置させた場合には、イジェクトバー５４に形成された起こし部５４２は、当該ディスク収納部５３の中央に位置するターンテーブル５３２から支持部５３７に向かう方向とは反対側、すなわち、ターンテーブル５３２とバー取付部５３９との間に位置している。
これによれば、蓋部材６を開状態とした場合に、起こし部５４２が、ディスク９の挿入方向基端側である円弧状部９２３側を、当該挿入方向先端側である半円状部９２２側より、底面５３Ａから離間させることができる。従って、ディスク収納部５３に対するディスク９の挿入方向基端側を把持しやすくすることができるので、当該ディスク収納部５３からのディスク９の取出を一層容易に行うことができる。
また、このように、起こし部５４２が、底面５３Ａにおけるターンテーブル５３２とバー取付部５３９との間に位置するので、ディスク９のディスク収納部５３への収納の際に、当該ディスク９がターンテーブル５３２及びピックアップ５３３を損傷することを防ぐことができる。
【００５９】
（３）イジェクトバー５４は、一対の腕部５４１を備え、当該腕部５４１は、ディスク収納部５３に収納されるディスク９を挟むように配置される。そして、起こし部５４２は、各腕部５４１を接続するように板状に形成されている。
これによれば、起こし部５４２がディスク９を確実に支持することができるとともに、当該起こし部５４２により支持されたディスク９が、当該ディスク９の挿入方向を軸として傾斜することを防ぐことができる。従って、起こし部５４２がディスク９を安定して支持することができるとともに、ディスク９の取出を一層容易に行うことができる。
また、ディスク９をディスク収納部５３に収納する際には、これら腕部５４１が当該ディスク９を案内する。これにより、ディスク収納部９へのディスク９の収納を一層容易に行うことができる。
【００６０】
（４）イジェクトバー５４の各腕部５４１には、蓋部材６の側壁６１に形成されたガイド孔６１２に挿入される突起部５４１２が形成され、当該突起部５４１２は、蓋部材６の回動に応じて、ガイド孔６１２内を摺動する。
これによれば、蓋部材６の開方向（矢印Ｂ１方向）への回動に応じたイジェクトバー５４の起立、及び、閉方向（矢印Ｂ２方向）への回動に応じてイジェクトバー５４の平伏を確実に行うことができる。従って、蓋部材６が開状態である場合には、確実にディスク９の収納及び取出を容易に行うことができるほか、蓋部材６が閉状態である場合には、イジェクトバー５４がディスク９の収納の妨げになることを防ぐことができる。
さらに、ガイド孔６１２の長手方向の寸法を調整することにより、蓋部材６の底面５３Ａに対する回動量を調整することができる。従って、蓋部材６とディスク収納部５３により形成される開口の大きさを簡易に調整することができる。
【００６１】
（５）ディスク収納部５３には、ディスク９の挿入方向先端側、すなわち、支持部５３７側に、メディアガイド５３４が設けられている。このメディアガイド５３４は、盾型形状のディスク９における挿入方向先端側である半円状部９２２の形状に応じた円弧状部５３４１を有し、ディスク９の収納の際には、当該円弧状部５３４１に半円状部９２２が当接する。
これによれば、ディスク９をディスク収納部５３内の適切な位置に位置決めすることができるほか、当該ディスク収納部５３内でのディスク９の揺動を抑制することができる。また、ディスク収納部５３におけるディスク９の向きが逆である場合、すなわち、ディスク９の円弧状部９２３側から挿入された場合には、円弧状部５３４１との形状が合わないため、ディスク９が収納されないようにすることができる。従って、確実にターンテーブル５３２がディスク９をチャッキングすることができ、ピックアップ５３３により、ディスク９に対する情報の読取及び書込を確実に行うことができるほか、ディスク９の誤挿入に伴う誤収納を防止することができる。
【００６２】
〔実施形態の変形〕
本発明は前述の実施形態に限定されるものではなく、本発明の目的を達成できる範囲での変形、改良等は本発明に含まれるものである。
前記実施形態では、イジェクトバー５４は、一対の腕部５４１を備え、ディスク９をディスク収納部５３から起こす起こし部５４２は、当該一対の腕部５４１を接続するように板状に形成されているとしたが、本発明はこれに限らない。すなわち、ディスク収納部５３からディスク９を起こすことが可能であれば、腕部５４１は１つでもよく、当該腕部５４１の数は問わない。
【００６３】
前記実施形態では、起こし部５４２は、一対の腕部５４１を接続する板状に形成されているとしたが、本発明はこれに限らない。すなわち、それぞれの腕部５４１に起こし部が形成されていればよく、起こし部によって各腕部間が接続されていなくてもよい。例えば、起こし部５４２は、ターンテーブル５３２によるディスク９のチャッキングを妨げなければ、湾曲していてもよい。さらに、起こし部５４２は、金属製でなくともよく、合成樹脂又は布製としてもよい。
【００６４】
前記実施形態では、起こし部５４２は、底面５３Ａにおける中央から、支持部５３７が形成された側とは反対側のバー取付部５３９に至るまでの範囲内、すなわち、蓋部材６を開方向（矢印Ｂ１方向）に回動させた場合に当該蓋部材６とディスク収納部５３とにより形成される開口側に位置するように、腕部５４１に形成されているとしたが、本発明はこれに限らない。すなわち、蓋部材６を開状態とした場合に、底面５３Ａからディスク９が傾斜するように起こされるのであれば、起こし部５４２の位置は問わない。
【００６５】
前記実施形態では、ガイド孔６１２は、蓋部材６の底面（ディスク収納部５３に対向する面）から起立する側壁６１に形成されているとしたが、本発明はこれに限らない。すなわち、当該底面に形成されていてもよい。すなわち、イジェクトバー５４の腕部５４１におけるバー取付部５３９に取り付けられる側の端部とは反対側の端部に係合し、当該反対側の端部が当該底面に沿って摺動可能な構成であれば、ガイド孔６１２の位置は問わず、また、ガイド孔に代えてガイド溝としてもよい。
【００６６】
前記実施形態では、本発明のディスク収納体は、ディスク装置１に用いられるとしたが、本発明はこれに限らず、ディスク９を収納するケースにも適用することが可能である。
【産業上の利用可能性】
【００６７】
本発明は、ディスク収納体に利用でき、特に、当該ディスク収納体を有する携帯可能なディスク装置に好適に利用することができる。
【図面の簡単な説明】
【００６８】
【図１】本発明の一実施形態に係るディスク装置を正面側から見た斜視図。
【図２】前記実施形態におけるディスク装置を背面側から見た斜視図。
【図３】前記実施形態におけるディスクを示す平面図。
【図４】前記実施形態におけるディスク収納部を示す斜視図。
【図５】前記実施形態におけるディスク収納部を示す斜視図。
【図６】前記実施形態におけるディスク収納部を示す斜視図。
【図７】前記実施形態におけるディスク収納部を示す平面図。
【図８】前記実施形態におけるディスク収納部を示す平面図。
【図９】前記実施形態におけるイジェクトバーを示す斜視図。
【図１０】前記実施形態におけるリアケースを正面側から見た平面図。
【図１１】前記実施形態における捻りばねの動作を示すリアケースの部分拡大図。
【図１２】前記実施形態における捻りばねの動作を示すリアケースの部分拡大図。
【図１３】前記実施形態における蓋部材を閉塞した状態のリアケースを示す断面図。
【図１４】前記実施形態における蓋部材を開放した状態のリアケースを示す断面図。
【図１５】前記実施形態におけるディスクを収納した状態のリアケースを示す断面図。
【符号の説明】
【００６９】
１…ディスク装置、２…ディスク収納体、３…筐体、６…蓋部材、９…ディスク、５３…ディスク収納部、５３１…開口部、５３３…ピックアップ（情報読取／書込手段）、５３４…メディアガイド（位置決め部）、５３７（５３７Ｌ，５３７Ｒ）…支持部、５４１…腕部（起立片）、５４２…起こし部、６１２…ガイド孔、５４１２…突起部。
【図１】
2008282497.tif 000003
【図２】
2008282497.tif 000004
【図３】
2008282497.tif 000005
【図４】
2008282497.tif 000006
【図５】
2008282497.tif 000007
【図６】
2008282497.tif 000008
【図７】
2008282497.tif 000009
【図８】
2008282497.tif 000010
【図９】
2008282497.tif 000011
【図１０】
2008282497.tif 000012
【図１１】
2008282497.tif 000013
【図１２】
2008282497.tif 000014
【図１３】
2008282497.tif 000015
【図１４】
2008282497.tif 000016
【図１５】
2008282497.tif 000017